(57)【要約】【課題】母材に治具等の板材を固定する固定具を提供する。【解決手段】固定具１０は、母材Ｐ１及び板材Ｊ１に形成された貫通孔Ｊ４に挿通して母材に板材を固定する固定具であって、雄ネジ部１３が形成された基部１２と、基部の端部から延び、少なくとも端部１２ａにおいて基部の軸線１４に対して９０度より小さい角度αで屈曲した曲げ形状により形成された屈曲部１５と、を有するボルト部材１１と、ボルト部材の雄ネジ部に取り付けられる締結部材１６と、を備え、屈曲部は、締結部材が締め込まれることにより、貫通孔の開口部に当接するように形成されている。【選択図】図１
2020105823.tif 000002
【特許請求の範囲】
【請求項１】
母材及び板材に形成された貫通孔に挿通して前記母材に前記板材を固定する固定具であって、
雄ネジ部が形成された基部と、該基部の端部から延び、少なくとも前記端部において前記基部の軸線に対して９０度より小さい角度αで屈曲した曲げ形状により形成された屈曲部と、を有するボルト部材と、
前記ボルト部材の前記雄ネジ部に取り付けられる締結部材と、を備え、
前記屈曲部は、前記締結部材が締め込まれることにより、前記貫通孔の開口部に当接するように形成されていることを特徴とする固定具。
【請求項２】
前記固定具が前記板材を前記母材に固定する際、前記基部の軸線方向における前記屈曲部の下端から前記屈曲部の先端までの高さが、前記屈曲部が前記貫通孔の開口部に当接する位置までの高さと略同じになるよう、前記屈曲部が形成されることを特徴とする、請求項１に記載の固定具。
【請求項３】
前記屈曲部の曲げ形状の一部がクロソイド曲線に沿って形成されることを特徴とする、請求項１又は２に記載の固定具。
【請求項４】
前記屈曲部の曲げ形状の一部がベルヌーイ曲線に沿って形成されることを特徴とする、請求項１又は２に記載の固定具。
【請求項５】
隣接する外壁パネルの目地幅を調整する目地幅調整治具であって、
該目地幅調整治具は、
前記隣接する外壁パネルの一方に固定される平板状の第１治具と、
前記隣接する外壁パネルの他方に固定される平板状の第２治具と、
前記第１治具と前記第２治具とを連結するターンバックルと、を備え、
前記第１治具及び前記第２治具は、請求項１から４のいずれか一項に記載の固定具を用いて前記外壁パネルに固定されることを特徴とする目地幅調整治具。
【発明の詳細な説明】
【技術分野】
【０００１】
本発明は固定具及び目地幅調整治具に係り、特に、母材に板材を固定する固定具及びそれを用いて外壁パネル等に固定される目地幅調整治具に関する。
【背景技術】
【０００２】
建物に外壁パネルを設ける場合、工場で製造された外壁パネルを建築現場において順次、吊り下げて取り付け位置に運搬して取り付けている。そして、外壁パネルを平行に並べる際、製造中に設けられた孔や運搬時に利用する孔を利用して、外壁パネルの引き込みや位置の調整等が行われる。例えば、特許文献１には、隣接する外壁パネルを仮止めするために、繰り返し再利用可能な壁連結治具が開示されている。特許文献１に記載の壁連結治具は、壁連結部材を外壁パネルに取り付けるために、外壁パネルのフレームに形成された挿入孔に挿入される円筒形状の挿入部を備える。
【先行技術文献】
【特許文献】
【０００３】
【特許文献１】特開２０１６−１８３４６１号公報
【発明の概要】
【発明が解決しようとする課題】
【０００４】
特許文献１に記載の壁連結治具では、一時的に仮止めするために円筒形状の挿入部を挿入孔に挿入するよう構成されているが、例えば、外壁パネル間の目地の幅等を調整するためには、より強固に固定するようボルト締結することが望ましい。しかしながら、ボルト締結するよう外壁パネルのフレーム内にナット等を設けるには、外壁パネル内の断熱材等の一部を取り除き、治具を利用した後、再度断熱材等を充填する必要がある。そのため、断熱材等を取り除くことなく、フレームに形成された貫通孔を利用して治具等を強固に取り付ける固定具が望まれていた。
【０００５】
本発明は前記の課題に鑑みてなされたものであって、その目的とすることころは、貫通孔が形成された母材に治具等の板材を固定する固定具を提供することである。また、その固定具を用いて隣接する外壁パネルに容易に取り付けることが可能な目地幅調整治具を提供することである。
【課題を解決するための手段】
【０００６】
上記課題は、本発明の固定具によれば、母材及び板材に形成された貫通孔に挿通して前記母材に前記板材を固定する固定具であって、雄ネジ部が形成された基部と、該基部の端部から延び、少なくとも前記端部において前記基部の軸線に対して９０度より小さい角度αで屈曲した曲げ形状により形成された屈曲部と、を有するボルト部材と、前記ボルト部材の前記雄ネジ部に取り付けられる締結部材と、を備え、前記屈曲部は、前記締結部材が締め込まれることにより、前記貫通孔の開口部に当接するように形成されている、ことにより解決される。
【０００７】
上記のように構成された本発明の固定具は、ボルト部材の屈曲部を母材及び板材に形成された貫通孔に挿通した後、締結部材を回して締結する。締結部材を回転させることによりボルト部材も供回りして回転するが、例えば、母材の貫通孔の近傍に側壁があると、ボルト部材の屈曲部がその側壁に当接してボルト部材が供回りしないようになる。その後、ボルト部材と締結部材との間が縮まり、ボルト部材の屈曲部が、母材に形成された貫通孔の開口部に当接して引っ掛かるようになる。その状態で締結部材により締結することで、板材が強固に取り付けられるようになる。母材の貫通孔にねじ切りしたりナット等を設けたりすることなく、板材を固定できる。
また、屈曲部は基部の軸線に対して９０度より小さい角度αで屈曲していることから、屈曲部を貫通孔に通しやすい。
【０００８】
また、上記の固定具に関して好適な構成を述べると、前記固定具が前記板材を前記母材に固定する際、前記基部の軸線方向における前記屈曲部の下端から前記屈曲部の先端までの高さが、前記屈曲部の下端から前記屈曲部が前記貫通孔の開口部に当接する位置までの高さと略同じになるよう、前記屈曲部が形成されることが望ましい。
【０００９】
このように構成することで、板材を固定した際、ボルト部材は、母材の裏側に屈曲部の先端と、屈曲部の根本（貫通孔の開口部に当接する箇所）と合わせると２点で支持するようになる。そのため、板材がより強固に固定されるようになる。
【００１０】
また、上記の固定具に関して好適な構成を述べると、前記屈曲部の曲げ形状の一部がクロソイド曲線に沿って形成されることが望ましい。また、前記屈曲部の曲げ形状の一部が、ベルヌーイ曲線に沿って形成されることが望ましい。
屈曲部の曲げ形状の一部をクロソイド曲線又はベルヌーイ曲線に沿って形成することで、屈曲部を母材及び板材の貫通孔により通しやすくなる。
【００１１】
また、上記課題は、本発明の目地幅調整治具によれば、隣接する外壁パネルの目地幅を調整する目地幅調整治具であって、該目地幅調整治具は、前記隣接する外壁パネルの一方に固定される平板状の第１治具と、前記隣接する外壁パネルの他方に固定される平板状の第２治具と、前記第１治具と前記第２治具とを連結するターンバックルと、を備え、前記第１治具及び前記第２治具は、上記記載の固定具を用いて前記外壁パネルに固定されることにより解決される。
【００１２】
固定具を用いることにより、目地幅調整治具を外壁パネルに強固に固定することができ、ターンバックルを用いて目地幅を調整する際、目地幅調整治具が外壁パネルから外れることを抑制することが可能になる。
【発明の効果】
【００１３】
本発明に係る固定具によれば、貫通孔が形成された母材に治具を強固に仮止めすることが可能になる。また、外壁パネルのフレームを用いて取り付けることが可能な目地幅調整治具を提供することが可能になる。
【図面の簡単な説明】
【００１４】
【図１】本実施形態に係る固定具を示す側面図であり、外壁パネルに目地幅調整治具を固定した状態を示す図である。
【図２】固定具を用いて目地幅調整治具を固定した状態を示す、目地幅調整治具の正面図である。
【図３】貫通孔にナットが取り付けられた貫通孔に、固定具を挿入した状態を示す断面図である。
【図４】屈曲部の曲げ形状をベルヌーイ曲線に沿って形成した固定具を示す側面図である。
【図５】固定具を用いて目地幅調整具を外壁パネルに取り付けた状態を示す斜視図である。
【図６】目地幅調整具の分解斜視図である。
【図７】固定具を用いて目地幅調整具を外壁パネルに取り付けた状態を示す正面図である。
【発明を実施するための形態】
【００１５】
以下、本発明の一実施形態（以下、本実施形態）について図１〜図７を用いて説明する。以下の実施形態において同一又は類似の構成要素には共通の参照符号を付して示し、理解を容易にするために、これら図面は縮尺を適宜変更している。
【００１６】
まず、本実施形態の固定具１０が取り付けられる外壁パネルＰについて説明する。外壁パネルＰは、外壁面材と縦胴縁と板材と外壁面材を取り付ける支持材となるフレームＰ１を備える。フレームＰ１の内側には断熱材が充填される。そして、本実施形態の固定具１０は、図１に示すように、母材となる外壁パネルＰのフレームＰ１に取り付けられる。外壁パネルＰのフレームＰ１には貫通孔Ｐ２が形成されている。貫通孔Ｐ２にはナットＰ３が取り付けられている場合もある（図３参照）。
【００１７】
本実施形態の固定具１０は、外壁パネルＰのフレームＰ１に、後述する目地幅調整治具Ｊの平板状の第１治具Ｊ１及び第２治具Ｊ２を取り付ける治具である。固定具１０は、フレームＰ１及び目地幅調整治具Ｊの第１治具Ｊ１に形成された貫通孔Ｊ４に挿通して、目地幅調整治具Ｊの第１治具Ｊ１をフレームＰ１に固定する。固定具１０は、雄ネジ部１３が形成された基部１２と、基部１２の端部１２ａから延び、少なくとも端部１２ａにおいて基部１２の軸線１２ｂに対して９０度より小さい角度αで屈曲した曲げ形状により形成された屈曲部１５とを有するボルト部材１１を有する。具体的には、基部１２の軸線１２ｂに対する屈曲部１５の軸線１５ｃの角度αが９０度より小さく形成される。本実施形態の固定具１０の屈曲部１５は、図１に示すように下端１５ｂにおいてさらに折り曲げられている。
【００１８】
また、固定具１０は、ボルト部材１１の雄ネジ部１３に取り付けられる締結部材１６を備える。そして、雄ネジ部１３の終点１３ａあたりから、図１に示すように屈曲部１５が、基部１２の軸線１２ｂに対して曲がるよう形成される。そのため、締結部１６を回転して締め込むことにより、屈曲部１５が上昇し、貫通孔Ｊ４の開口部Ｐ４と当接するようになる。なお、屈曲部１５は、締結部材１６を締める際、供回りする場合があるが、例えば図２に示すように貫通孔Ｊ４の近傍にあるフレームＰ１の側壁に当接して供回りが妨げられる。締結部材１６を締め込むことで、屈曲部１５が例えば開口部（図１のＡ）と当接することで、フレームＰ１と第１治具Ｊ１とを挟み込み固定することができる。
なお、雄ネジ部１３の終点１３ａは、基部１２においてネジきりされた部分とされていない部分との境界である。
【００１９】
また、屈曲部１５は途中（下端１５ｂ）で屈曲されボルト部材１１の屈曲部１５の先端１５ａは、開口部Ｐ４と当接する位置Ａとほぼ同じ高さになるよう形成されている。そのため、固定具１０により、フレームＰ１と第１治具Ｊ１を固定したとき、屈曲部１５の先端１５ａが、フレームＰ１の裏面Ｐ６に当接する。締結すると、屈曲部１５の先端１５ａがフレームＰ１を第１治具Ｊ１に押圧するため、より強固に固定される。
【００２０】
フレームＰ１にナットを設けることなく、形成されていた貫通孔Ｐ２に正面から屈曲部１５を有するボルト部材１１を挿入することにより固定することができる。そのため、フレームＰ１内にある断熱材等を取り出すことなく、板材を有する治具を外壁パネルＰに取り付けることができる。
【００２１】
また、ボルト部材１１の径Ｄ１は、挿入される貫通孔Ｐ２、Ｊ４の径Ｄ０より若干小さく作成され、ボルト部材１１を容易に挿入することができる。また、締結部１６には、図１に示すように環状の把持部１６ａが設けられていて、作業者が工具を使わなくても手で回転させることで固定しやすい。
【００２２】
なお、フレームＰ１は断面がコ字形であり、貫通孔Ｐ２の近傍に側壁が設けられている。そのため、固定具１０により固定する際、締結部材１６の回転によりボルト部材１１の屈曲部１５が供回りした場合であっても屈曲部１５が図２に示すようにフレームＰ１の側壁に当接する。そのため、屈曲部１５によりボルト部材１１はそれ以上供回りすることなく、締結部材１６を締結することで固定具１０はフレームＰ１に第１治具Ｊ１を固定することができる。
【００２３】
また、フレームＰ１には場所により貫通孔Ｐ２にナットＰ３が取り付けられている場合がある。ナットＰ３のボルト径に対応したボルト準備することにより固定することが可能であるが、本実施形態の固定具１０は、図３に示すようにナットＰ３の開口部に屈曲部１５が当接すれば固定することが可能である。そのため、ナットＰ３のボルト径に応じたボルトを別途準備することなく、固定することができる。また、ナットＰ３のネジ山を直接用いないため、ナットＰ３のネジ山を削ることが抑制される。
なお、ボルト部材１１は直線状ではなく屈曲部１５を有しているため、締結部材１６にボルト部材１１が挿入される長さが制限されることになる。このため、フレームＰ１（母材）の厚みＴ１と第１治具Ｊ１（板材）の厚みＴ２によっては、ボルト部材１１をフレームＰ１の貫通孔Ｐ２及び第１治具Ｊ１の貫通孔Ｊ４に挿入して螺合させても、ボルト部材１１の屈曲部１５が貫通孔Ｐ２の開口部に当接しない場合がある。その場合、ボルト部材１１が供回りを防止することができず、締結することができなくなるが、ワッシャを第１治具Ｊ１と締結部材１６との間に挟むことにより実質的に第１治具Ｊ１の厚みＴ２を増やすことで、屈曲部１５を開口部に当接させることができるため、第１治具Ｊ１を固定することが可能になる。
すなわち、フレームＰ１に固定される板材には、第１治具Ｊ１の他にワッシャを含めてもよく、その場合、固定具１０により、ワッシャと第１治具Ｊ１とがフレームＰ１に固定される。
【００２４】
図４に固定具１０の別例である固定具３１０を示す。屈曲部１５の曲げ形状は、図４に示すように曲線で形成されてもよい。その屈曲部３１５の曲げ形状の一部は、クロソイド曲線に沿って形成されてもよい。また、屈曲部３１５の曲げ形状の一部は、ベルヌーイ曲線に沿って形成されてもよい。屈曲部３１５の曲げ形状の一部をクロソイド曲線又はベルヌーイ曲線に沿って形成することで、貫通孔Ｐ２，Ｊ４に屈曲部３１５を挿入する際、徐々に屈曲部３１５を回転させる回転半径が変化し挿入しやすくなる。
【００２５】
次に、本実施形態の固定具１０を用いた目地幅調整治具Ｊについて図５〜図７を用いて説明する。目地幅調整治具Ｊは、隣接する外壁パネルＰの間の目地幅Ｂを調整するための治具である。図５は隣接する外壁パネルＰに固定具１０を用いて目地幅調整治具Ｊを取り付けた状態を示す斜視図、図６は固定具１０を有する目地幅調整治具Ｊの分解斜視図、図７は隣接する外壁パネルＰに固定具１０を用いて目地幅調整治具Ｊを取り付けた状態を示す正面図である。
【００２６】
図５〜図７に示すように、目地幅調整治具Ｊは、隣接する外壁パネルＰの一方に固定される平板状の第１治具Ｊ１と、隣接する外壁パネルＰの他方に固定される平板状の第２治具Ｊ２とを有する。また、目地幅調整治具Ｊは、第１治具Ｊ１と第２治具Ｊ２を連結するターンバックルＪ３を有する。第１治具Ｊ１と第２治具Ｊ２のそれぞれには、貫通孔Ｊ４，Ｊ４が形成されている。貫通孔Ｊ４，Ｊ４のそれぞれを、外壁パネルＰのフレームＰ１に形成された貫通孔Ｐ２に合わせて配置し、固定具１０を用いて、第１治具Ｊ１と第２治具Ｊ２とを固定する。
【００２７】
固定具１０は、図１〜図３に示す固定具１０であり、雄ネジ部１３が形成された基部１２と、基部１２の端部１２ａから延び、少なくとも端部１２ａにおいて基部１２の軸線１２ｂに対して９０度より小さい角度αで屈曲した曲げ形状により形成された屈曲部１５とを有するボルト部材１１を有する。また、固定具１０は、ボルト部材１１の雄ネジ部１３に取り付けられる締結部材１６を備える。
【００２８】
本実施形態の目地幅調整治具Ｊは、第１治具Ｊ１と第２治具Ｊ２の上辺から鉛直方向に立設するＬ字形の取付け部Ｊ５，Ｊ５が設けられていて、ターンバックルＪ３の両端部は、取付け部Ｊ５，Ｊ５に取り付けられる。
【００２９】
屈曲部１５を、目地幅調整治具Ｊの貫通孔Ｊ４，Ｊ４と、外壁パネルＰの貫通孔Ｐ２，Ｐ２に挿入して、締結部材１６により締結することで、締結される。なお、屈曲部１５の先端１５ａは図７に示すように、フレームＰ１に当接するため、空回りすることが防止される。固定具１０を用いることにより外壁パネルＰの断熱材を取り除くことなく、目地幅調整治具Ｊを固定することができる。
【００３０】
目地幅調整治具Ｊを外壁パネルＰに取り付けた後は、作業者はターンバックルＪ３を回転させることにより、隣接する外壁パネルＰの目地幅Ｂを調整する。調整を行った後は、固定具１０による固定を解除して目地幅調整治具Ｊを取り外す。
【００３１】
上記実施形態では、主として本発明に係る固定具及びそれを用いた目地幅調整治具に関して説明した。ただし、上記形態は、本発明の理解を容易に理解するための一例に過ぎず、本発明を限定するものではない。本発明は、その趣旨を逸脱することなく、変更、改良され得ると共に、本発明にはその等価物が含まれることはもちろんである。
【符号の説明】
【００３２】
Ｐ      外壁パネル
Ｐ１    フレーム（母材）
Ｐ２    貫通孔
Ｐ３    ナット
Ｐ４    開口部
Ｐ６    裏面
Ｔ１，Ｔ２    厚み
Ｊ      目地幅調整治具
Ｊ１    第１治具（板材）
Ｊ２    第２治具（板材）
Ｊ３    ターンバックル
Ｊ４    貫通孔
Ｊ５    取付け部
１０、３１０    固定具
１１    ボルト部材
１２    基部
１２ａ    端部
１２ｂ    軸線
１３    雄ネジ部
１３ａ    終点
１５、３１５    屈曲部
１５ａ    先端
１５ｂ    下端
１５ｃ、１５ｄ    軸線
１６    締結部材
１６ａ    把持部
【図１】
2020105823.tif 000003
【図２】
2020105823.tif 000004
【図３】
2020105823.tif 000005
【図４】
2020105823.tif 000006
【図５】
2020105823.tif 000007
【図６】
2020105823.tif 000008
【図７】
2020105823.tif 000009